(57)【要約】【課題】  従来は、ＤＶＤ−ＶＲ規格で記録されたデュアルモノラル音声をＤＶＤ−Ｖｉｄｅｏ規格で許されているモノラル音声又はステレオ音声へ変換する際に、音声情報を復号し、再符号化を行っているため、高速に処理することが困難である。【解決手段】  ストリーム解析器１４１は、デュアルモノラル音声ストリーム中の符号化に関係しないダミーデータを探索し、デュアルモノラル音声ストリームを２分割するときに増大するビット量が、探索したダミーデータの量より少ないときに、増大するビット量に応じた量だけダミーデータを削除する。モノラルストリーム分離器１４２は、ダミーデータが削除されたデュアルモノラル音声ストリームを２分割し、再構成して２つのモノラル音声ストリームを生成する。これにより、デュアルモノラル音声ストリームを復号することなく２つのモノラル音声ストリームを生成することができる。【選択図】            図１
2006172546.tif 000002
【特許請求の範囲】
【請求項１】
ドルビーＡＣ３符号化方式、又はドルビーＡＣ３符号と互換性がある符号化方式のデュアルモノラル音声ストリームのフォーマットを、前記ドルビーＡＣ３符号化方式、又は前記ドルビーＡＣ３符号と互換性がある符号化方式の第１及び第２のモノラル音声ストリームのフォーマットへ変換する音声フォーマット変換装置であって、
前記デュアルモノラル音声ストリーム中の符号化に関係しないダミーデータを探索する探索手段と、
前記デュアルモノラル音声ストリームを２分割するときに増大するビット量が、前記探索手段により探索した前記ダミーデータの量より少ないときに、該増大するビット量に応じた量だけ前記ダミーデータを削除するダミーデータ削除手段と、
前記ダミーデータ削除手段により前記ダミーデータが削除された前記デュアルモノラル音声ストリームを２分割し、再構成して前記第１及び第２のモノラル音声ストリームを生成するストリーム生成手段と
を有することを特徴とする音声フォーマット変換装置。
【請求項２】
ドルビーＡＣ３符号化方式、又はドルビーＡＣ３符号と互換性がある符号化方式のデュアルモノラル音声ストリームのフォーマットを、前記ドルビーＡＣ３符号化方式、又は前記ドルビーＡＣ３符号と互換性がある符号化方式の第１及び第２のモノラル音声ストリームのフォーマットへ変換する音声フォーマット変換装置であって、
少なくとも前記デュアルモノラル音声ストリームを２分割するときに増大するビット量の、符号化に関係しないダミーデータが予め挿入された前記デュアルモノラル音声ストリームが記憶された記憶手段と、
前記記憶手段から読み出された前記デュアルモノラル音声ストリームを２分割及び再構成すると共に、前記ダミーデータによって符号長が調整された前記第１及び第２のモノラル音声ストリームを生成するストリーム生成手段と
を有することを特徴とする音声フォーマット変換装置。
【請求項３】
前記記憶手段に記憶された前記デュアルモノラル音声ストリームには、前記第１及び第２のモノラル音声ストリームへの変換に必要な情報が、予め前記ダミーデータが挿入された領域とは別の領域に記録されていることを特徴とする請求項２記載の音声フォーマット変換装置。
【請求項４】
ドルビーＡＣ３符号化方式、又はドルビーＡＣ３符号と互換性がある符号化方式のデュアルモノラル音声符号を、前記ドルビーＡＣ３符号化方式、又は前記ドルビーＡＣ３符号と互換性がある符号化方式の第１及び第２のモノラル音声符号に符号化する符号化装置であって、
パルス符号変調された第１及び第２のモノラル音声信号を入力として受け、これら第１及び第２のモノラル音声信号に基づいて、少なくとも前記デュアルモノラル音声符号を２分割するときに増大するビット量の、符号化に関係しないダミーデータが予め挿入された前記デュアルモノラル音声符号を生成する音声エンコード手段と、
前記音声エンコード手段から出力された前記デュアルモノラル音声符号を２分割及び再構成すると共に、前記ダミーデータによって符号長が調整された前記第１及び第２のモノラル音声符号を生成する符号生成手段と
を有することを特徴とする符号化装置。
【発明の詳細な説明】
【技術分野】
【０００１】
本発明は音声フォーマット変換装置及び符号化装置に係り、特にＤＶＤ−ＶＲ（Video Recording）規格によるドルビーＡＣ３デュアルモノラル音声ストリームを、ＤＶＤ−Ｖｉｄｅｏ規格に則ったドルビーＡＣ３モノラル２チャンネル音声ストリームに再符号化することなく高速に変換する音声フォーマット変換装置及び音声符号化を行う符号化装置に関する。
【背景技術】
【０００２】
多用途光ディスク（ＤＶＤ：Digital Versatile Disk）には現在多くの規格が混在しているが、そのうち記録再生装置に向けて規格制定されたＤＶＤ−ＶＲ規格のＤＶＤでは、音声符号化の一方式であるドルビーＡＣ３符号化方式を採用している。また、このＤＶＤ−ＶＲ規格では、異なる２チャンネルの独立した音声を記録するフォーマットとしてデュアルモノラル音声フォーマットでの記録が認められている。このデュアルモノラル音声フォーマットは、例えば現行テレビ放送の二ヶ国語放送で日本語音声と英語音声を記録する場合に使用することができる。
【０００３】
一方、再生専用機に向けて規格制定されたＤＶＤ−Ｖｉｄｅｏ規格のＤＶＤでは、音声符号化方式としてドルビーＡＣ３符号化方式を採用しているが、上記のデュアルモノラル音声フォーマットでの記録が許されていない。
【０００４】
このため、ＤＶＤ−ＶＲ規格のストリームをＤＶＤ−Ｖｉｄｅｏ規格のストリームに変換する機能を備えた記録再生装置では、ＤＶＤ−ＶＲ規格に則って符号化されたデュアルモノラル音声ストリームをＤＶＤ−Ｖｉｄｅｏ規格に則した音声ストリームに変換する場合、どちらか一方の音声チャンネルを選択して音声信号を復号し、再符号化を行っている。この変換によって得られる音声ストリームは、音声が１チャンネルとなり、もう一方の音声チャンネルの信号は失われる。
【０００５】
そこで、ＤＶＤ−ＶＲ規格で記録された情報をデコーダでデコードし、デコード信号をフォーマット変換部でＤＶＤ−Ｖｉｄｅｏ規格の情報に変換するのに先立ち、マイクロコンピュータによりデコード信号のパラメータの変化を検出し、パラメータの変化後に続くデコード信号を、ＤＶＤ−Ｖｉｄｅｏ規格の新たなタイトルとして管理する管理情報を作成し、ＤＶＤ−ＶＲ規格で記録された情報がタイトル内に異なる解像度を持つ複数のストリームが存在した場合、解像度が異なる部分で自動的にタイトルを分割して、ＤＶＤ−Ｖｉｄｅｏ規格のデータに変換処理を行う記録再生装置が従来より提案されている（例えば、特許文献１参照）。
【０００６】
【特許文献１】特開２００３−１５３１７０号公報
【発明の開示】
【発明が解決しようとする課題】
【０００７】
しかるに、特許文献１記載の記録再生装置では、ＤＶＤ−ＶＲ規格で記録されたデュアルモノラル音声をＤＶＤ−Ｖｉｄｅｏ規格で許されているモノラル音声又はステレオ音声へ変換する際に、音声情報を復号し、再符号化を行っているため、高速に処理することが困難である。
【０００８】
また、一部のパーソナルコンピュータのソフトウェアでは、デュアルモノラル音声ストリームから、モノラル音声２ストリームの信号を作成可能なものがあるが、これについても、デュアルモノラル音声ストリームを復号して得られた２チャンネル音声信号に対して、別々に再符号化を行うことでモノラル２音声ストリームを得ているため、高速に変換することが困難である。
【０００９】
本発明は以上の点に鑑みなされたもので、ＤＶＤ−ＶＲ規格等の第１の規格で記録されたデュアルモノラル音声ストリームを、ＤＶＤ−Ｖｉｄｅｏ規格等の第２の規格に則した、モノラル音声２ストリームに高速に変換して再生する音声フォーマット変換装置及び符号化装置を提供することを目的とする。
【課題を解決するための手段】
【００１０】
上記目的を達成するため、第１の発明の音声フォーマット変換装置は、ドルビーＡＣ３符号化方式、又はドルビーＡＣ３符号と互換性がある符号化方式のデュアルモノラル音声ストリームのフォーマットを、ドルビーＡＣ３符号化方式、又はドルビーＡＣ３符号と互換性がある符号化方式の第１及び第２のモノラル音声ストリームのフォーマットへ変換する音声フォーマット変換装置であって、デュアルモノラル音声ストリーム中の符号化に関係しないダミーデータを探索する探索手段と、デュアルモノラル音声ストリームを２分割するときに増大するビット量が、探索手段により探索したダミーデータの量より少ないときに、増大するビット量に応じた量だけダミーデータを削除するダミーデータ削除手段と、ダミーデータ削除手段によりダミーデータが削除されたデュアルモノラル音声ストリームを２分割し、再構成して第１及び第２のモノラル音声ストリームを生成するストリーム生成手段とを有することを特徴とする。
【００１１】
この発明では、デュアルモノラル音声ストリーム中の符号化に関係しないダミーデータを探索し、デュアルモノラル音声ストリームを２分割するときに増大するビット量が、探索したダミーデータの量より少ないときに、増大するビット量に応じた量だけダミーデータを削除してデュアルモノラル音声ストリームを２分割し、再構成して第１及び第２のモノラル音声ストリームを生成するようにしたため、デュアルモノラル音声ストリームを復号することなく第１及び第２のモノラル音声ストリームを生成することができる。
【００１２】
また、上記の目的を達成するため、第２の発明の音声フォーマット変換装置は、ドルビーＡＣ３符号化方式、又はドルビーＡＣ３符号と互換性がある符号化方式のデュアルモノラル音声ストリームのフォーマットを、ドルビーＡＣ３符号化方式、又はドルビーＡＣ３符号と互換性がある符号化方式の第１及び第２のモノラル音声ストリームのフォーマットへ変換する音声フォーマット変換装置であって、少なくともデュアルモノラル音声ストリームを２分割するときに増大するビット量の、符号化に関係しないダミーデータが予め挿入されたデュアルモノラル音声ストリームが記憶された記憶手段と、記憶手段から読み出されたデュアルモノラル音声ストリームを２分割及び再構成すると共に、ダミーデータによって符号長が調整された第１及び第２のモノラル音声ストリームを生成するストリーム生成手段とを有することを特徴とする。
【００１３】
この発明では、少なくともデュアルモノラル音声ストリームを２分割するときに増大するビット量の、符号化に関係しないダミーデータが予め挿入されたデュアルモノラル音声ストリームを記憶手段から読出し、そのデュアルモノラル音声ストリームを２分割及び再構成すると共に、ダミーデータによって符号長が調整された第１及び第２のモノラル音声ストリームを生成するようにしたため、デュアルモノラル音声ストリーム中のダミーデータを探索することなく、かつ、デュアルモノラル音声ストリームを復号することなく第１及び第２のモノラル音声ストリームを生成することができる。
【００１４】
また、上記の目的を達成するため、第３の発明の音声フォーマット変換装置は、記憶手段に記憶されたデュアルモノラル音声ストリームには、第１及び第２のモノラル音声ストリームへの変換に必要な情報が、予めダミーデータが挿入された領域とは別の領域に記録されていることを特徴とする。この発明では、記憶手段から読み出されたデュアルモノラル音声ストリームには、第１及び第２のモノラル音声ストリームへの変換に必要な情報が記録されているので、第１及び第２のモノラル音声ストリームへの変換を適切に行うことができる。
【００１５】
また、上記の目的を達成するため、第４の発明の符号化装置は、ドルビーＡＣ３符号化方式、又はドルビーＡＣ３符号と互換性がある符号化方式のデュアルモノラル音声符号を、ドルビーＡＣ３符号化方式、又はドルビーＡＣ３符号と互換性がある符号化方式の第１及び第２のモノラル音声符号に符号化する符号化装置であって、パルス符号変調された第１及び第２のモノラル音声信号を入力として受け、これら第１及び第２のモノラル音声信号に基づいて、少なくともデュアルモノラル音声符号を２分割するときに増大するビット量の、符号化に関係しないダミーデータが予め挿入されたデュアルモノラル音声符号を生成する音声エンコード手段と、音声エンコード手段から出力されたデュアルモノラル音声符号を２分割及び再構成すると共に、ダミーデータによって符号長が調整された第１及び第２のモノラル音声符号を生成する符号生成手段とを有することを特徴とする。
【００１６】
この発明では、少なくともデュアルモノラル音声符号を２分割するときに増大するビット量の、符号化に関係しないダミーデータが予め挿入されたデュアルモノラル音声符号を２分割し、再構成して第１及び第２のモノラル音声符号を生成するようにしたため、デュアルモノラル音声符号を復号することなく第１及び第２のモノラル音声符号を生成することができる。
【発明の効果】
【００１７】
本発明によれば、ＤＶＤ−ＶＲ規格のドルビーＡＣ３符号化方式等のデュアルモノラル音声ストリームを復号することなく、ＤＶＤ−Ｖｉｄｅｏ規格のドルビーＡＣ３符号化方式等の第１及び第２のモノラル音声ストリームを生成するようにしたため、第１及び第２のモノラル音声ストリームへの音声フォーマットの変換や符号化を高速に行うことができる。
【発明を実施するための最良の形態】
【００１８】
次に、本発明の各実施の形態について、図面を参照して説明する。図１は本発明による音声ストリーム変換装置の第１の実施の形態のブロック図を示す。本実施の形態は、ＤＶＤ−ＶＲ規格に準拠した符号化データストリームが格納されている第１の外部記憶装置１１と、ＤＶＤ−ＶＲ規格に準拠した符号化データストリームを画像ＰＥＳ（Packetized Elementary Stream）ストリームと、デュアルモノラル音声ＰＥＳストリームと、ＲＤＩ（Real-time Data Information）パックとに分離するＰＳアンパケタイズ器１２と、ＲＤＩパックをＤＶＤ−Ｖｉｄｅｏ規格に準拠したＮＡＶ(navigation)パックに変換するＲＤＩ−ＮＡＶパック変換器１３と、デュアルモノラル音声ＰＥＳストリームを２チャンネルのモノラル音声ＰＥＳストリームに再構成して出力する音声再構成器１４と、再構成された２チャンネルのモノラル音声ＰＥＳストリームとＮＡＶパックと画像ＰＥＳストリームとからＤＶＤ−Ｖｉｄｅｏ規格に準拠した符号化データストリームを作成するビデオＰＳパケタイズ器１５と、ビデオＰＳパケタイズ器１５からのＤＶＤ−Ｖｉｄｅｏ規格に準拠した符号化データストリームが格納される外部記憶装置１６とから構成される。
【００１９】
また、上記の音声再構成器１４は、ＰＳアンパケタイズ器１２からのデュアルモノラル音声ＰＥＳストリームを解析し、符号化に関係しないデータ（以下、ダミーデータ）を探索するストリーム解析器１４１と、符号化データを再符号化することなくモノラル２ストリームに分離するモノラルストリーム分離器１４２と、モノラルＢＳＩ（Bit Stream Information：ビットストリーム情報）を生成するモノラルＢＳＩ生成器１４３と、２つのモノラルストリームに付加する付加情報を生成及び多重するモノラルストリーム付加情報多重器１４４及び１４５とから構成され、入力されたデュアルモノラル音声ＰＥＳストリームを変換して、２つのモノラル音声ＰＥＳストリームを出力する。
【００２０】
上記の符号化に必要な付加情報とは、具体的にはドルビーＡＣ３符号化方式に規定されるＳＩ（Synchronization Information:同期情報）、ＢＳＩ、ＡＵＸ（AUXiliary data：補助データ）及びＣＲＣ（Cyclic Redundancy Check code:誤り検出符号）である。
【００２１】
また、ビデオＰＳパケタイズ器１５は、ＤＶＤ−ＶＲ規格のストリームからＤＶＤ−Ｖｉｄｅｏ規格のストリームに変換するときには、ビデオＰＥＳビットストリーム、オーディオＰＥＳビットストリームを適当な大きさに分割し、ＭＰＥＧ２ＰＳパケットを生成する。
【００２２】
次に、外部記憶装置１１に記録されたＤＶＤ−ＶＲ規格に準拠した符号化ストリームである第１の画像音声ストリームを、ＤＶＤ−Ｖｉｄｅｏ規格に準拠した符号化ストリームである第２の画像音声ストリームに変換して外部記憶装置１６に格納する本実施の形態の動作について説明する。
【００２３】
外部記憶装置１１に記憶されているＤＶＤ−ＶＲ規格に準拠したフォーマットは、複数のビデオオブジェクト（ＶＯＢ）からなるファイル単位で構成され、１つのＶＯＢは複数のビデオオブジェクトユニット（ＶＯＢＵ）から構成され、一つのＶＯＢＵは図２（Ａ）に示すように、先頭にＲＤＩパックが配置され、以降Ｖｉｄｅｏで示すビデオパック、Ａｕｄｉｏで示すオーディオパックがそれぞれ複数配置された構成である。ビデオパックは画像データが例えばＭＰＥＧ２方式で圧縮符号化されたパケットデータを含み、オーディオパックは、音声データがＡＣ３符号化方式で符号化されたパケットデータを含む。
【００２４】
ＲＤＩパックは、図２（Ｂ）に示すように、パックヘッダ１０１、システムヘッダ１０２、パケットヘッダ１０３、サブストリームｉｄ１０４、リアルタイム情報データ（ＲＤＩデータ）１０５から構成され、全部で２０４８バイトである。ＲＤＩパック中のＲＤＩデータ１０５は、図２（Ｃ）に示すように、このＲＤＩパックが属するＶＯＢＵの最初のフィールドが再生される開始時間を示すリアルタイムジェネラル情報（ＲＤＩ＿ＧＩ）、ディスプレイコントール情報とコピーコントロール情報（ＤＣＩ＿ＣＣＩ）及び製造者情報（ＭＮＦＩ:manufacturer's information）などからなる。更に、図２（Ｄ）に示すように、ＭＮＦＩ（製造者情報）中にアプリケーションでの使用を目的としたデータＭＮＦＩ＿ＤＴが存在する。
【００２５】
図１において、外部記憶装置１１から読み出された上記のＤＶＤ−ＶＲ規格に準拠したフォーマットの第１の画像音声ストリームは、ＰＳアンパケタイズ器１２に供給されてオーディオパックからデュアルモノラル音声ＰＥＳストリームが、ビデオパックから画像ＰＥＳストリームがそれぞれ分離され、またＲＤＩパックが分離されてＲＤＩ−ＮＡＶパック変換器１３に供給され、ここでＲＤＩパックからＮＡＶパックに変換される。ここで、上記のデュアルモノラル音声ＰＥＳストリームはドルビーＡＣ３符号化方式により符号化された音声データストリームであり、図３に示すフォーマットとされている。
【００２６】
ドルビーＡＣ３符号化方式の音声データストリームは、複数のシンクフレームから構成され、１つのシンクフレームは図３（Ａ）に示すように、ＳＩ（Synchronization Information:同期情報）、ＢＳＩ（Bit Stream Information：ビットストリーム情報）、６個のオーディオブロックＡＢ０〜ＡＢ５、ＡＵＸ（AUXiliary data：補助データ）及びＣＲＣ（Cyclic Redundancy Check code:誤り検出符号）で構成される。
【００２７】
再び図１に戻って説明するに、音声再構成器１４は、ＰＳアンパケタイズ器１２から出力されたデュアルモノラル音声ＰＥＳストリームをモノラル音声２ストリームに変換する。内部の動作は、以下のようになる。まず、ストリーム解析器１４１にて、例えば前記ＢＳＩに存在できるダミーデータの量、若しくは前記オーディオブロックＡＢ０〜ＡＢ５に存在できるダミーデータの量を求める。
【００２８】
すなわち、ドルビーＡＣ３符号は、固定ビットレートの符号であり、単位時間当りの符号長は一定である。しかし、符号化処理は、入力信号に応じた適応量子化が行われるため、符号化データだけで符号長を一定にすることは困難である。そのために、主に符号長を調整する目的でダミーデータをＢＳＩ中、若しくはオーディオブロック中に挿入することが許可されている。
【００２９】
オーディオブロックＡＢ０〜ＡＢ５にダミーデータを挿入する場合は、挿入するダミーデータの長さがオーディオブロックのｓｋｉｐｌに記述され、オーディオブロックにそのダミーデータが挿入される。一方、ＢＳＩにダミーデータを挿入する場合には、挿入するダミーデータの長さは図３（Ｂ）に示すＢＳＩの中の「ａｄｄｂｓｉｌ」にそのことが記述され、また、ＢＳＩの中の「ａｄｄｂｓｉ」にそのダミーデータが挿入される。「ａｄｄｂｓｉ」の最後のビットの位置はＢＳＩの最後になる。なお、図３（Ｂ）に示す「ａｄｄｂｓiｅ」の直前の領域には、ｂｓｉｄ、ｂｓｍｏｄその他各種の情報が配置されるが、本発明とは直接の関係はないので、その説明は省略する。
【００３０】
そこで、ストリーム解析器１４１は、前記オーディオブロックＡＢ０〜ＡＢ５に存在するダミーデータの量、あるいは前記ＢＳＩに存在するダミーデータの量を求め、少なくとも一方のダミーデータの量よりも、ストリームを２分割するに際して増大するビット量の方が少ないかどうか比較し、少ない場合はストリームを再符号化することなく分割可能であると判断し、分割により増大するビット量に応じて、オーディオブロックＡＢ０〜ＡＢ５に挿入されているダミーデータを削除するか、あるいは前記ＢＳＩに存在できる分割により増大するビット量に応じて、ＢＳＩに挿入されているダミーデータを削除する。
【００３１】
続いて、音声再構成器１４は、モノラルストリーム分離器１４２にて、デュアルモノラル音声ストリームのオーディオブロックＡＢ０〜ＡＢ５を削除されていない残りのダミーデータを含めて２つのチャンネルに分離し、モノラル音声ストリームのオーディオブロックを得る。また、モノラルＢＳＩ生成器１４３は、ストリーム解析器１４１からの解析結果に基づき、ＢＳＩを始めとする付加情報を生成すると共に、２チャンネルに分離し、更にそれぞれのチャンネルで全体のフレーム長が一定の大きさになるように、ダミーデータの量を調整し挿入して、モノラル２ストリームのＢＳＩを生成する。なお、モノラルストリーム分離器１４２は、ＳＩ及びＡＵＸも２つのチャンネルに変換することを行う。そして、ダミーデータ量の調整には、この部分のデータ量も考慮される。
【００３２】
続いて、音声再構成器１４は、モノラル付加情報生成器１４４及び１４５のそれぞれにおいて、モノラルストリーム分離器１４２により２分離されたデュアルモノラル音声ストリームのオーディオブロックＡＢ０〜ＡＢ５やＢＳＩ以外の付加情報とが別々に入力され、この入力オーディオブロック等に、モノラルＢＳＩ生成器１４３で生成された２つのチャンネルに分割されたＢＳＩを含む付加情報とをチャンネル別に多重した後、各々についてＣＲＣを再計算してモノラル音声ＰＥＳストリームを生成する。
【００３３】
図４（Ａ）は音声再構成器１４に入力されるデュアルモノラル音声ＰＥＳストリームのフォーマットを示し、同図（Ｂ）、（Ｃ）はそれぞれモノラル付加情報生成器１４４及び１４５から出力される第１及び第２のモノラル音声ＰＥＳストリームのフォーマットを示す。
【００３４】
図４（Ｂ）、（Ｃ）に示す第１及び第２のモノラル音声ＰＥＳストリームのフォーマットおいて、「ＳＩ」及び「Ａｕｘ」は、モノラルストリーム分離器１４２によりデュアルモノラル音声ＰＥＳストリームからモノラル音声ＰＥＳストリームに沿うように変換された同期情報及び補助データであり、「ＢＳＩ」は、冗長なデータを削減し、全体のフレームが一定の大きさになるような適当な長さにされたビットストリーム情報であり、「ＡＢ０ａ」〜「ＡＢ５ｂ」は、２つの部分に分離されたオーディオブロックを示す。また、図４（Ｂ）、（Ｃ）に示す「ＣＲＣ」はモノラル付加情報生成器１４４及び１４５のそれぞれにおいて再計算された誤り検出符号ＣＲＣを示す。
【００３５】
再び図１に戻って説明するに、ビデオＰＳパケタイズ器１５は、音声再構成器１４内のモノラルストリーム付加情報多重器１４４、１４５からそれぞれ出力された、図４（Ｂ）、（Ｃ）に示すフォーマットの第１、第２のモノラル音声ＰＥＳストリームと、ＰＳアンパケタイズ器１２により分離された画像ＰＥＳストリームとを多重してＰＳパケットストリームを生成すると共に、ＲＤＩ−ＮＡＶパック変換器１３から出力されるＮＡＶパックを適当なタイミングで多重して、ＤＶＤ−Ｖｉｄｅｏ規格に準拠した符号化ストリームを生成する。
【００３６】
ビデオＰＳパケタイズ器１５により生成されたＤＶＤ−Ｖｉｄｅｏ規格に準拠した符号化ストリームは、外部記憶装置１６へ出力されて格納される。外部記憶装置１６は、例えばハードディスクドライブ（ＨＤＤ）又はＤＶＤメディアである。なお、図１では、外部記憶装置１１及び外部記憶装置１６を説明の便宜上分けたが、実際には時分割処理が行える機器であれば単独の外部記憶装置でよい。
【００３７】
このように、本実施の形態によれば、２チャンネル独立音声をドルビーＡＣ３符号化方式で符号化されたＤＶＤ−ＶＲ規格に準拠するデュアルモノラル音声符号ストリームのオーディオブロック又はＢＳＩに存在するダミーデータを探索し、かつ、そのストリームを２分割するに際して増大するビット量がダミーデータの量よりも少ない場合に、モノラル２音声ストリームに再符号化することなく分離可能であると判断し、デュアルモノラル音声符号ストリームを分離・変換することでＤＶＤ−Ｖｉｄｅｏ規格に準拠したモノラル音声２ストリームに変換するようにしたため、ＤＶＤ−ＶＲ規格に準拠するデュアルモノラル音声符号ストリームからＤＶＤ−Ｖｉｄｅｏ規格に準拠したモノラル音声２ストリームへの変換を高速に行うことができる。
【００３８】
次に、本発明の第２の実施の形態について説明する。図５は本発明による音声フォーマット変換装置の第２の実施の形態のブロック図を示す。本実施の形態は、第１の外部記憶装置２１と、ＰＳアンパケタイズ器２２と、音声再構成器２３と、ＲＤＩ−ＮＡＶパック変換器２４と、ビデオＰＳパケタイズ器２５と、第２の外部記憶装置２６とから構成される。
【００３９】
ＰＳアンパケタイズ器２２は、ＤＶＤ−ＶＲ規格に準拠した符号化データストリームを画像ＰＥＳストリームと、デュアルモノラル音声ＰＥＳストリームと、ＲＤＩパックとに分離する。音声再構成器２３は、デュアルモノラル音声ＰＥＳストリームを２チャンネルのモノラル音声ＰＥＳストリームに再構成して出力する。ＲＤＩ−ＮＡＶパック変換器２４は、ＲＤＩパックをＤＶＤ−Ｖｉｄｅｏ規格に準拠したＮＡＶパックに変換する。ビデオＰＳパケタイズ器２５は、再構成された２チャンネルのモノラル音声ＰＥＳストリームとＮＡＶパックと画像ＰＥＳストリームとからＤＶＤ−Ｖｉｄｅｏ規格に準拠した符号化データストリームを作成する。外部記憶装置２６は、ビデオＰＳパケタイズ器２５からのＤＶＤ−Ｖｉｄｅｏ規格に準拠した符号化データストリームを格納する。
【００４０】
音声再構成器２３は、デュアルモノラル音声ＰＥＳストリームからモノラル音声ストリームを分離するモノラルストリーム分離器２３１と、モノラルＢＳＩ抽出器２３２と、モノラル音声ＰＥＳストリームをそれぞれビデオＰＳパケタイズ器２５へ出力するモノラルストリーム付加情報多重器２３３及び２３４とから構成される。
【００４１】
ここで、本実施の形態は、２チャンネル独立音声をドルビーＡＣ３符号化方式で符号化したデュアルモノラル音声ストリームを、モノラル２音声ストリームへ変換するにあたり、適当な長さのダミーデータが挿入され、かつ、モノラル２音声ストリームへの変換に必要な情報が予め別領域に記録された、デュアルモノラル音声ストリームを、復号及び再符号化することなく並び替えでモノラル２音声ストリームへ変換するよう構成したものである。
【００４２】
このため、第１の外部記憶装置２１には、ＤＶＤ−ＶＲ規格に準拠した画像音声ストリームが格納されているが、図１に示した第１の実施の形態の第１の外部記憶装置１１に記憶されているＤＶＤ−ＶＲ規格に準拠した画像音声ストリームとは異なり、そのデュアルモノラル音声ストリームには、既に適当な長さのダミーデータが挿入され、かつ、モノラル２ストリーム音声符号への変換に必要な情報が予め別領域に記録されている点に特長がある。そこで、図５に示す実施の形態の動作を説明する前に、第１の外部記憶装置２１に格納される所定の構成のＤＶＤ−ＶＲ規格に準拠した画像音声ストリームの生成装置について説明する。
【００４３】
図６は第１の外部記憶装置２１に格納される所定の構成のＤＶＤ−ＶＲ規格に準拠した画像音声ストリームの生成装置の一例のブロック図を示す。この画像音声ストリーム生成装置は、２チャンネルのモノラルＰＣＭ（パルス符号変調）音声信号が供給される音声エンコーダ３０と、画像信号が入力されて画像ＰＥＳストリームを生成する画像エンコーダ３１と、ＲＤＩパックを生成するＲＤＩパック生成器３２と、ＤＶＤ−ＶＲ規格準拠の画像音声ストリームを生成して第１の外部記憶装置２１に格納するＰＳパケタイズ器３３とから構成される。
【００４４】
音声エンコーダ３０は、２つの音声フレーム符号化器３０１及び３０２と、音声フレーム符号化器３０１及び３０２に対応して個別に設けられた２つのビット割り当て器３０３及び３０４と、単一のデュアルモノラルストリーム付加情報生成多重器３０５と、２つのモノラルストリーム付加情報生成器３０６及び３０７とから構成される。ＲＤＩパック生成器３２は、モノラルストリーム付加情報生成器３０６及び３０７の各出力付加情報と、画像エンコーダ３１からの画像ＰＥＳストリームに関連する情報からＲＤＩパックを生成する。
【００４５】
次に、このＤＶＤ−ＶＲ規格準拠の画像音声ストリーム生成装置の動作について説明する。独立した２つのチャンネルのアナログ音声信号をＰＣＭ変調して得られた、独立した２つのチャンネルのモノラルＰＣＭ音声信号は、音声エンコーダ３０内の音声フレーム符号化器３０１、３０２にチャンネル別に供給され、ここでドルビーＡＣ３の符号化方式に従い、複数のサンプル値からなるオーディオブロック単位に直交変換された後、変換領域で聴覚特性を利用した直交変換係数の圧縮符号化が行われて音声フレーム（ＡＢ０〜ＡＢ５）とされる。
【００４６】
すなわち、音声フレーム符号化器３０１、３０２は、入力モノラルＰＣＭ音声信号を逐次解析し、適当なフィルタを設定し、そのフィルタ係数をビット割り当て器３０３、３０４から得られる情報を基に量子化し、符号化された音声フレームを生成する。ビット割り当て器３０３及び３０４は、オーディオブロックに割り当てるビット量を計算し、音声フレーム符号化器３０１及び３０２で発生するビット量を制御する。
【００４７】
デュアルモノラルストリーム付加情報生成多重器３０５は、デュアルモノラルストリームを構成するのに必要な付加情報を生成し、音声フレーム符号化器３０１及び３０２からそれぞれ出力された２つのチャンネルの音声フレームに結合してドルビーＡＣ３符号化方式のデュアルモノラル音声ＰＥＳビットストリームを生成する。生成されたデュアルモノラル音声ＰＥＳビットストリームは、ＰＳパケタイズ器３３へ出力される。
【００４８】
また、音声エンコーダ３０内のモノラルストリーム付加情報生成器３０６及び３０７は、音声フレーム符号化器３０１及び３０２からそれぞれ出力された２つのチャンネルの音声フレーム（ＡＢ０〜ＡＢ５）に基づき、モノラルストリームを構成するのに必要な付加情報を生成する。ここで、上記の付加情報とは前述したドルビーＡＣ３符号化方式におけるＳＩ、ＢＳＩ、ＡＵＸ及びＣＲＣである。
【００４９】
一方、画像エンコーダ３１は、入力された画像信号に対して周知のＭＰＥＧ（Moving Picture Experts Group）方式に従って高能率圧縮符号化を行って、画像ＰＥＳストリームを生成し、得られた画像ＰＥＳストリームをＲＤＩパック生成器３２とＰＳパケタイズ器３３にそれぞれ出力する。
【００５０】
ＲＤＩパック生成器３２は、モノラルストリーム付加情報生成器３０６及び３０７から供給されたモノラル２音声ストリームを構成するのに必要な付加情報と、画像エンコーダ３１から供給された画像ＰＥＳストリームとから、ＤＶＤ−ＶＲ規格に準拠した固定長のＲＤＩパックを生成する。ただし、ＲＤＩパック生成器３２は、パッキングする情報としては、上記のＳＩ、ＢＳＩ、ＡＵＸ及びＣＲＣすべて、又はＳＩ、ＢＳＩのみとする。
【００５１】
また、デュアルモノラルストリーム付加情報生成多重器３０５では、２チャンネル分のモノラルストリーム用ＡＢ０〜ＡＢ５と、ＡＢ以外の付加情報（ＳＩ、ＢＳＩ、ＡＵＸ及びＣＲＣ）を発生して、デュアルモノラル音声ＰＥＳストリームを構成する。この際、両方のモノラルストリームに挿入されていたオーディオブロック（ＡＢ）若しくはＢＳＩ中にあるダミーデータの量はデュアルモノラルストリームに反映される。すなわち、デュアルモノラルストリーム付加情報生成多重器３０５からはダミーデータが予め挿入されたデュアルモノラル音声ＰＥＳストリームが出力される。
【００５２】
また、ＲＤＩパック生成器３２は図２（Ｂ）に示したフォーマットのＲＤＩパックを生成するが、図２（Ｄ）に示したＲＤＩパックの製造者情報（ＭＮＦＩ）中に含まれる、アプリケーションでの使用を目的としたデータＭＮＦＩ＿ＤＴには、モノラルストリーム付加情報生成器３０６及び３０７で生成した付加情報すべて、又はＳＩ、ＢＳＩのみを記述する。
【００５３】
ＰＳパケタイズ器３３は、音声エンコーダ３０から出力されたデュアルモノラル音声ＰＥＳストリームと、ＲＤＩパック生成器３２から出力されたＲＤＩパックと、画像エンコーダ３１から出力された画像ＰＥＳストリームとを入力として受け、デュアルモノラル音声ＰＥＳストリームと画像ＰＥＳストリームとを適当な大きさに分割してＭＰＥＧ２に規定されたＰＳパケットを生成すると共に、そのＰＳパケットストリーム中に適当なタイミングでＲＤＩパックを挿入して、ＤＶＤ−ＶＲ規格に準拠した符号化ストリーム（画像音声ストリーム）を生成して第１の外部記憶装置２１に供給して記憶させる。
【００５４】
再び図５に戻って説明するに、第１の外部記憶装置２１から読み出された上記のＤＶＤ−ＶＲ規格に準拠したフォーマットの第１の画像音声ストリームは、ＰＳアンパケタイズ器２２に供給されてオーディオパックからデュアルモノラル音声ＰＥＳストリームが、ビデオパックから画像ＰＥＳストリームがそれぞれ分離され、またＲＤＩパックが分離されてＲＤＩ−ＮＡＶパック変換器２４に供給され、ここでＲＤＩパックからＮＡＶパックに変換される。
【００５５】
音声再構成器２３は、モノラルストリーム分離器２３１にて、ＰＳアンパケタイズ器２２からのデュアルモノラル音声ストリームのオーディオブロックを２つのチャンネルに分離し、モノラル音声ストリームのオーディオブロックを得る。また、音声再構成器２３は、モノラルＢＳＩ抽出器２３２にて、ＲＤＩ−ＮＡＶパック変換器２４から供給されるＲＤＩパックのＭＮＦＩ＿ＤＴを受けて、モノラル２音声ストリームの付加情報を抽出し、モノラル付加情報生成器２３３及び２３４にそれぞれ供給する。
【００５６】
続いて、音声再構成器２３は、モノラルストリーム付加情報多重器２３３及び２３４のそれぞれにおいて、モノラルストリーム分離器２３１により２分離されたデュアルモノラルストリームのオーディオブロックに、モノラルＢＳＩ抽出器２３２で抽出した付加情報を多重化した後、不足している付加情報（例えば、ＣＲＣやＡＵＸ）があれば、変換、再計算を行った上で、再度多重化を行い、図４（Ｂ）、（Ｃ）に示したフォーマットのモノラル音声ＰＥＳストリームを生成する。
【００５７】
図５のビデオＰＳパケタイズ器２５は、音声再構成器２３内のモノラルストリーム付加情報多重器２３３、２３４からそれぞれ出力された、図４（Ｂ）、（Ｃ）に示すフォーマットの第１、第２のモノラル音声ＰＥＳストリームと、ＰＳアンパケタイズ器２２により分離された画像ＰＥＳストリームとを多重してＰＳパケットストリームを生成すると共に、ＲＤＩ−ＮＡＶパック変換器２４から出力されるＮＡＶパックを適当なタイミングで多重して、ＤＶＤ−Ｖｉｄｅｏ規格に準拠した符号化ストリームを生成する。
【００５８】
ビデオＰＳパケタイズ器２５により生成されたＤＶＤ−Ｖｉｄｅｏ規格に準拠した符号化ストリームは、第２の外部記憶装置２６へ出力されて格納される。外部記憶装置２６は、例えばハードディスクドライブ（ＨＤＤ）又はＤＶＤメディアである。なお、図５では、外部記憶装置２１及び外部記憶装置２６を説明の便宜上分けたが、実際には時分割処理が行える機器であれば単独の外部記憶装置でよい。
【００５９】
このように、本実施の形態によれば、２チャンネル独立音声をドルビーＡＣ３符号化方式で符号化されたＤＶＤ−ＶＲ規格に準拠するデュアルモノラル音声符号ストリームをＤＶＤ−Ｖｉｄｅｏ規格に準拠するモノラル２音声ストリームに変換するために、デュアルモノラル音声符号ストリームのオーディオブロックやＢＳＩを２分割するに際して増大するビット量を予め求め、その量の符号化に必要でないダミーデータをオーディオブロック又はＢＳＩ中に挿入してストリーム長を調整して外部記憶装置２１に記憶すると共に、モノラル２ストリーム音声符号への変換に必要な情報をＲＤＩパックのＭＮＦＩ＿ＤＴ中に記述して外部記憶装置２１に記憶するようにしたため、その外部記憶装置２１からデュアルモノラル音声符号ストリームを読み出して、復号及び再符号化することなく並び替えでモノラル２音声ストリームへ高速に変換することができる。
【００６０】
次に、本発明の符号化装置の一実施の形態について説明する。図７は本発明による符号化装置の一実施の形態のブロック図を示す。同図中、図５及び図６と同一構成部分には同一符号を付し、その説明を省略する。図７に示す符号化装置は、独立した２つのモノラルＰＣＭ音声信号を音声エンコーダ３０により、ドルビーＡＣ３符号化方式によりデュアルモノラル音声ＰＥＳストリームと、モノラルストリームの付加情報とを生成する一方、画像信号を画像エンコーダ３１により、画像ＰＥＳビットストリームを生成し、更にＲＤＩパック生成器３２によりＲＤＩパックを生成し、これらをＰＳパケタイズ器３３で多重化してＤＶＤ−ＶＲ規格に準拠した画像音声ストリームを生成して第１の外部記憶装置３４に記憶する。
【００６１】
すなわち、第１の外部記憶装置３４には図６と共に説明したように、ＤＶＤ−ＶＲ規格に準拠するデュアルモノラル音声符号ストリームをＤＶＤ−Ｖｉｄｅｏ規格に準拠するモノラル２音声ストリームに２分割する際に増大するビット量の、符号化に関係しないダミーデータが予め挿入されたデュアルモノラル音声ストリームが含まれており、さらにモノラル２音声ストリームへの変換に必要な情報がＲＤＩパック中のＭＮＦＩ＿ＤＴ中に記述されているような、ＤＶＤ−ＶＲ規格に準拠した画像音声ストリームが記憶される。
【００６２】
この第１の外部記憶装置３４から読み出されたＤＶＤ−ＶＲ規格に準拠するデュアルモノラル音声符号ストリームは、図５に示した音声フォーマット変換装置と同じ構成により、ＤＶＤ−Ｖｉｄｅｏ規格に準拠する画像音声ストリームに変換されて第２の外部記憶装置３５に記憶される。すなわち、この符号化装置は、モノラルＰＣＭ音声信号と画像信号とから、ＤＶＤ−Ｖｉｄｅｏ規格に準拠する画像音声ストリームに符号化することができる。
【００６３】
なお、本発明は以上の実施の形態に限定されるものではなく、本発明はドルビーＡＣ３と互換性を有する、あるいは類似の符号化方式に対しても適用できる。
【図面の簡単な説明】
【００６４】
【図１】本発明変換装置の第１の実施の形態のブロック図である。
【図２】ＤＶＤ−ＶＲ規格準拠の画像音声ストリームの一例のフォーマットの説明図である。
【図３】ドルビーＡＣ３符号化方式で符号化した音声ストリームの一例のフォーマットを示す図である。
【図４】図１の本発明装置によるデュアルモノラル音声ストリームからモノラル音声ストリームの生成方法の一例の説明図である。
【図５】本発明変換装置の第２の実施の形態のブロック図である。
【図６】図５中の第１の外部記憶装置に記憶するＤＶＤ−ＶＲ規格準拠の画像音声ストリームを生成する装置の一例のブロック図である。
【図７】本発明の符号化装置の一実施の形態のブロック図である。
【符号の説明】
【００６５】
１１、２１、３４  ＤＶＤ−ＶＲ規格準拠の画像音声ストリーム格納用外部記憶装置
１２、２２  ＰＳアンパケタイズ器
１３、２４  ＲＤＩ−ＮＡＶパック変換器
１４、２３  音声再構成器
１５、２５  ビデオＰＳパケタイズ器
１６、２６、３５  ＤＶＤ−Ｖｉｄｅｏ規格準拠の画像音声ストリーム格納用外部記憶装置
３０  音声エンコーダ
３１  画像エンコーダ
３２  ＲＳＩパック生成器
３３  ＰＳパケタイズ器
１４１  ストリーム解析器
１４２、２３１  モノラルストリーム分離器
１４３  モノラルＢＳＩ生成器
１４４、１４５、２３３、２３４  モノラルストリーム付加情報多重器
２３２  モノラルＢＳＩ抽出器
３０１、３０２  音声フレーム符号化器
３０３、３０４  ビット割り当て器
３０５  デュアルモノラルストリーム付加情報生成多重器
３０６、３０７  モノラルストリーム付加情報多重器
【図１】
2006172546.tif 000003
【図２】
2006172546.tif 000004
【図３】
2006172546.tif 000005
【図４】
2006172546.tif 000006
【図５】
2006172546.tif 000007
【図６】
2006172546.tif 000008
【図７】
2006172546.tif 000009